【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
筒状のケーシング内で、ピストンが圧縮空気によって作動してボタンビットを打撃することで掘削作業を行う掘削用エアーハンマーにおいて、
それぞれ拡大した内径部を有する筒状のケーシングと、
前記ケーシングの上部に螺合されるバックヘッドと、
下端の軸部と、中心のアンビル部と、上端の逆止弁収納部とを含むガイドと、
前記ガイドの逆止弁収納部にコイルバネにより弾支される逆止弁と、
前記ケーシングの内部に昇降可能に設けられ、中央孔と圧縮空気通路とを有するピストンと、
前記ケーシングからの前記ピストンの離脱を防止し、ブッシング部と一体に形成されており、中間軸部の内周面に形成されたビットリテーナーリング設置溝と、下端部の内周面に形成された複数のガイド溝と、を有するチャックと、
外周面に形成された複数のガイド溝のうち隣接ガイド溝の間に複数の円周突起が交互に配設され、前記チャックのガイド溝とスライド可能に結合され、外周面に外周溝が形成され、前記外周溝の上部に係止爪が形成され、昇降長さが前記外周溝の長さによって制限されるボタンビットと、
前記ピストンの外周部と前記ケーシングの内周部との間に形成される可変圧縮空気チャンバーと、を備え、
前記バックヘッドは、
圧縮空気が流入する中央孔と、
内周縁部によって前記中央孔から分割された内部中空と、
前記内部中空を同心円状に囲む複数の空気通路と、
を有し、
前記複数の空気通路は、前記中央孔と前記内部中空との間を出口を介して連通する第１空気通路と、下端が開放されて入口を介して前記内部中空と連通する第２空気通路とが交互に配設されて形成され、
前記ガイドは、前記バックヘッドの前記内部中空内に設けられ、
前記アンビル部は、前記バックヘッドの前記内周縁部に挿入され、
前記ピストンは、基本外径Ｒと、Ｒ１、Ｒ２（Ｒ１＝Ｒ２）、Ｒ３、およびＲ４の拡大した外径とを持つ軸部を有しており、
前記ピストンの中央孔は、前記ピストンの中心軸に沿って穿孔されて形成され、
前記圧縮空気通路は、外径Ｒ１の部分とＲ２の部分との間に形成された前記入口から、外径Ｒ３の部分に形成された前記出口まで貫通する、
掘削用エアーハンマー。
【請求項２】
逆止弁は、中央孔と前記中央孔の上方に形成された内部中空とが形成された安着部と、前記安着部上に設けられ、弾性ゴム部が覆われた頭部とを含み、
前記頭部は、上端部に中心軸に向いて上方へ傾斜している傾斜面を有するスカートと、弾性ゴム部とを含み、
前記弾性ゴム部は、前記スカートの傾斜面と同じ角度に傾いている傾斜面と、前記弾性ゴム部の傾斜面と前記頭部の傾斜面とが合致する傾斜面から所定長さ突出した補強部とを有する、
請求項１に記載の掘削用エアーハンマー。
【請求項３】
前記ピストンの長さＬを基準外径Ｒよりも５．７倍（Ｌ／Ｒ＝５．７）以上、最外径部Ｒ３よりも３．２倍（Ｌ／Ｒ＝３．２）以上にすることにより、逆水の流入による作動不良を防止する、
請求項１に記載の掘削用エアーハンマー。
【請求項４】
筒状のケーシング内で、ピストンの垂直往復運動によりボタンビットを打撃することで掘削作業を行う掘削用エアーハンマーの駆動方法であって、
前記ピストンと前記ボタンビットが自重によって下降して最下部に位置している状態で、バックヘッドの中央孔を介して供給される圧縮空気が、逆止弁の圧力に打ち勝って前記バックヘッドの第１空気通路及び前記ピストンの中央孔から前記ボタンビットの排出口に沿って外部に排出されて、無負荷状態で掘削待機する第１段階と、
圧縮空気が、前記バックヘッドの中央孔、前記バックヘッドの前記第１空気通路、前記ピストンの圧縮空気通路、及び、前記ピストンの下方の昇圧チャンバーによって形成される圧縮空気通路に沿って供給されて、前記ケーシング内のピストンを急上昇させる第２段階と、
圧縮空気が、前記バックヘッドの中央孔、前記バックヘッドの前記第１空気通路、前記ピストンの外周部と前記ケーシングの内周部とにより画定される圧縮空気チャンバー、前記バックヘッドの第２空気通路、及び、前記ピストンの上面により画定される前記バックヘッドの内部中空によって形成される圧縮空気通路に沿って供給されることにより、前記ピストンを降下させて前記ボタンビットの上面を打撃させる第３段階と、
を備える、掘削用エアーハンマーの駆動方法。
【請求項５】
外部から圧縮空気が供給されるバックヘッドと、
前記バックヘッドをケーシングと結合させるジョイントと、
前記ジョイントの内部に設置され、圧縮空気の供給を選択的に遮断する逆止弁と、
前記ケーシング内で昇降するピストンと、
中央孔を有しており、前記ピストンの下部に設置され、回転力と打撃力を用いて掘削作業を行うドリルビット(ボタンビット)と、
を備え、
前記バックヘッドはジョイントの上部と螺合し、
前記ジョイントの下部は前記ケーシングの上部と螺合し、
前記ケーシングの下部は、前記ボタンビットの進退範囲を限定するリテーナーリングとともにチャックと螺合して外形を形成し、
前記ピストンは、それぞれ異なる外径（Ｒ１、Ｒ２、Ｒ３）を有する軸部を含む重量体であり、
前記ピストンは、内部に、上部側面に開口する入口から下部側面に開口する出口まで形成された第１圧縮空気通路と、中部側面に開口した他の入口から前記ピストンの下部面まで形成された中央孔と、前記ピストンの上部面から中部側面の開口部まで形成された第２圧縮空気通路とを有し、
前記ジョイントは、前記逆止弁を配設する、前記ジョイントの内部中空を上部と下部とに分割するガイドを内部に有し、前記ガイドと前記ジョイントの外周面との間には圧縮空気入口が形成されることにより、前記ジョイントと前記ケーシングとの間に圧縮空気通路が形成され、
掘削作業前の準備状態では、圧縮空気通路が、前記バックヘッドの中央孔、前記ジョイントの圧縮空気入口、前記ジョイントと前記ケーシングとの間の圧縮空気通路、前記ピストンの第２圧縮空気通路、前記ピストンの中央孔、前記ボタンビットの中央孔の順で形成され、
前記ピストンが上昇する状態では、圧縮空気通路が、前記バックヘッドの中央孔、前記ジョイントの圧縮空気入口、前記ジョイントと前記ケーシングとの間の圧縮空気通路、前記ピストンの第１圧縮空気通路、前記ピストンの下方に形成される可変圧縮空気チャンバーの順で形成され、前記ピストンの上面によって閉じ込められた圧縮空気は、前記第２圧縮空気通路、前記ピストンの中心孔、ボタンビットの中央孔を介して外部に排出され、
前記ピストンが下降する状態では、前記バックヘッドの中央孔、前記ジョイントの圧縮空気入口、前記ジョイントと前記ケーシングとの間の圧縮空気通路、前記第２圧縮空気通路、及び、前記ピストンの上面の上方の圧縮空気チャンバーにより圧縮空気通路が形成される、
掘削用エアーハンマー。
【請求項６】
前記ピストンの出口は、前記ピストンの中心軸の周りに四方八方に形成される、
請求項５に記載の掘削用エアーハンマー。
【請求項７】
前記バックヘッドは、バイパスホール、部品組み立てホール及び前記部品組み立てホールに設けられた部品を有し、前記バイパスホール、前記部品組み立てホール及び前記部品組み立てホールに設けられた前記部品は、ナット部の６角形の各角に配置されるか、対称する６角面位置に配置される、
請求項５に記載の掘削用エアーハンマー。